(57)【特許請求の範囲】
【請求項１】
各々が交点とそれぞれの電線の間に接続された複数のレッグの各々  に直列に接続された複数のコンバーターセルを持ち、前記レッグの組の間に線間電圧出  力を持つ多相電源の動作方法であって：
（ａ）全ての前記レッグの故障セルを検知し；
（ｂ）各故障セルを迂回するバイパスを与えることで、少なくとも１つの故障セルを持  った全ての前記レッグに当該故障セルに対する電流パスを形成し；そして、
（ｃ）前記線間電圧を最大化し、全ての線間電圧出力の大きさを大体一定に保つように  前記故障セルを持つレッグにあるセルを制御することを含む多相電源の動作方法。
【請求項２】
線間の位相を大体均衡に保持することをさらに含む、請求項１に記載の方法。
【請求項３】
レッグ間の位相関係を調整することで線間電圧の大きさを大体等しく保持することをさらに含む、請求項１に記載の方法。
【請求項４】
レッグ間のピーク電圧要求を減少することをさらに含む、請求項１に記載の方法。
【請求項５】
ピーク電圧減少を与える電圧命令を生成し、少なくとも１つの故障セルの検出への応答で前記命令の変更を行うことをさらに含む、請求項１に記載の方法。
【請求項６】
命令信号により前記コンバーターセルをパルス幅変調することをさらに含む、請求項１に記載の方法。
【請求項７】
少なくとも１つの故障セルを持ったレッグ中のバイパスされていない各前記コンバーターセルへの命令信号を増大させることをさらに含む、請求項１に記載の方法。
【請求項８】
前記命令信号の前記増大が前記レッグのバイパスされてないセルの数に対する前記レッグのセルの全数の比に大体等しい量である、請求項７に記載の方法。
【請求項９】
前記制御が少なくとも１つの故障セルを持った各前記レッグ中のバイパスされてないセルのサイクルの一部の期間の出力の大きさを増大させることをさらに含む、請求項１に記載の方法。
【請求項１０】
前記制御が故障セルを持たない各前記レッグ中のバイパスされてないセルのサイクルの一部の期間の出力の大きさを増大させることをさらに含む、請求項１に記載の方法。
【請求項１１】
前記制御が少なくとも１つの故障セルを持った各前記レッグ中のバイパスされてないセルのサイクルの一部の期間の出力の大きさを増大させることをさらに含む、請求項１０に記載の方法。
【請求項１２】
前記のレッグ間位相角度の調整が前記レッグ中の故障したセルの数に基づいた予め決められた角度に従って行われる、請求項３に記載の方法。
【請求項１３】
前記のあらかじめ決められた角度が数値表から得られる、請求項１２に記載の方法。
【請求項１４】
大体均衡になった線間電圧を生成するために、前記調整がレッグ間位相角度を計算することを含む、請求項３に記載の方法。
【請求項１５】
前記変更が１つの前記レッグ中のバイパスされてないセルの数に対する前記１つのレッグ中のセルの全数の比に大体等しい量だけ前記命令を増大させることをさらに含む、請求項５に記載の方法。
【請求項１６】
各々が交点とそれぞれの電線の間に接続された複数のレッグの各  々に直列に接続された複数のコンバーターセルを持ち、前記レッグの組の間に線間電圧  出力を持つ多相電源の動作方法であって：
（ａ）全ての前記レッグの故障セルを検知し；
（ｂ）各前記故障セルの少なくとも１つの入力と出力を切り替えることによって、少な  くとも１つの故障セルを持った全ての前記レッグに当該故障セルに対する電流パスを形  成し；そして、
（ｃ）前記線間電圧を最大化し、全ての線間電圧出力の大きさを大体一定に保つために  前記故障セルを持つレッグにあるセルを制御することを含む多相電源の動作方法。
【請求項１７】
線間の位相を大体均衡に保持することをさらに含む、請求項１６に記載の方法。
【請求項１８】
レッグ間の位相関係を調整することで線間電圧の大きさを大体等しく保持することをさらに含む、請求項１６に記載の方法。
【請求項１９】
レッグ間のピーク電圧要求を減少することをさらに含む、請求項１６に記載の方法。
【請求項２０】
ピーク電圧減少を与える電圧命令を生成し、少なくとも１つの故障セルの検出への応答で前記命令の変更を行うことをさらに含む、請求項１６に記載の方法。
【請求項２１】
命令信号により前記コンバーターセルをパルス幅変調することをさらに含む、請求項１６に記載の方法。
【請求項２２】
少なくとも１つの故障セルを持ったレッグ中のバイパスされていない各前記コンバーターセルへの命令信号を増大することをさらに含む、請求項１６に記載の方法。
【請求項２３】
前記命令信号の増大が前記レッグのバイパスされてないセルの数に対する前記レッグのセルの全数の比に大体等しい、請求項２２に記載の方法。
【請求項２４】
前記制御が、少なくとも１つの故障セルを持った各前記レッグ中のバイパスされてないセルのサイクルの一部の期間の出力の大きさを増大させることをさらに含む、請求項１６に記載の方法。
【請求項２５】
前記制御が故障セルを持たない各前記レッグ中のバイパスされてないセルのサイクルの一部の期間の出力の大きさを増大させることをさらに含む、請求項１６に記載の方法。
【請求項２６】
前記制御が少なくとも１つの故障セルを持った各前記レッグ中のバイパスされてないセルのサイクルの一部の期間の出力の大きさを増大させることをさらに含む、請求項２５に記載の方法。
【請求項２７】
前記のレッグ間位相角度の調整が前記レッグ中の故障したセルの数に基づいた予め決められた角度に従って行われる、請求項１８に記載の方法。
【請求項２８】
前記のあらかじめ決められた角度が数値表から得られる、請求項２７に記載の方法。
【請求項２９】
大体均衡になった線間電圧を生成するために、前記調整がレッグ間位相角度を計算することを含む、請求項１８に記載の方法。
【請求項３０】
前記変更が１つの前記レッグ中のバイパスされてないセルの数に対する前記１つの前記レッグ中のセルの全数の比に大体等しい量だけ前記命令を増大させることをさらに含む、請求項２０に記載の方法。
【請求項３１】
前記切替が空気力学的に実行される、請求項１６に記載の方法。
【請求項３２】
前記切替が単極双投接点切替スイッチの動作を介して行われる、請求項１６に記載の方法。
【請求項３３】
前記切替スイッチの前記動作が前記単極双投接点切替スイッチ接点から離れて配置され、絶縁体管により空気力学的に接続された圧縮流体源を介して行われる、請求項３２に記載の方法。
【請求項３４】
前記圧縮流体源が電気信号により作動する、請求項３３に記載の方法。
【請求項３５】
電気的駆動コンプレッサーで前記圧縮流体源を生成することをさらに含む、請求項３４に記載の方法。
【請求項３６】
線間電圧出力を持った多相電源であって：
（ａ）各々が交点とそれぞれの電線の間に接続された複数のレッグの各々に直列に接続  された複数のコンバーターセル；及び、
（ｂ）前記セルの各々の出力電圧を制御し、それによって前記レッグの組の間に前記線  間電圧を供給するためのコントローラーであって：
（ｃ）全ての前記レッグの故障セルを検知し、それに対する応答で前記直列配列から故  障セルを除去し、そして、
（ｄ）前記線間電圧を最大にし、全ての線間電圧出力の大きさを大体等しく保持するた  めに前記故障セルを持つていたレッグにあるセル出力を制御する前記コントローラーを  備える多相電源。
【請求項３７】
前記コントローラーが使用可能なセルの出力制御により大体均衡した線間位相を保持する、請求項３６に記載の多相電源。
【請求項３８】
前記コントローラーがレッグ間位相の関係を調整することにより線間電圧の大きさを大体等しく保持する、請求項３６に記載の多相電源。
【請求項３９】
前記コントローラーが減少したピーク電圧要求を持つ前記セルを動作させる、請求項３６に記載の多相電源。
【請求項４０】
ピーク電圧の減少を与えるための電圧命令を生成し、少なくとも１つの故障セルの検知への応答で前記命令の変更をする前記コントローラーを備える、請求項３９に記載の多相電源。
【請求項４１】
前記コントローラーが各々の前記レッグ中の故障したセルの数に基づいて予め決められた角度の表によってレッグ間位相の角度を調整する、請求項３６に記載の多相電源。
【請求項４２】
前記コントローラーが故障セルを持たない前記レッグの各々で使用可能なセルのサイクルの一部の期間中にセル出力の大きさを増大させる、請求項３６に記載の多相電源。
【請求項４３】
前記コントローラーが前記直列配列から前記故障セルを除去するためのバイパスを動作させる、請求項３６に記載の多相電源。
【請求項４４】
前記コントローラーが前記直列配列から前記故障セルを除去するための切替スイッチを動作させる、請求項３６に記載の多相電源。
【請求項４５】
前記切替スイッチが流体による動作である、請求項４４に記載の多相電源。
【請求項４６】
前記切替スイッチが前記切替スイッチに隣接した高電圧から離れて配置された流体源から空気力学的に動作される、請求項４５に記載の多相電源。
【請求項４７】
前記流体源がコンプレッサーを備え、気体の圧力が絶縁体の管によって前記切替スイッチへ運ばれる、請求項４５に記載の多相電源。
【請求項４８】
多相電源の出力に複数のセルを相互に連結するための切替スイッチであって：
（ａ）可動のスイッチアームを持った単極双投接点の組立体；
（ｂ）前記スイッチアームを第１スイッチ位置に動かす力部材；
（ｃ）前記スイッチアームを第２スイッチ位置に止めておく掛け金部材；及び、
（ｄ）空気力学的に動作する掛け金解放であって、前記スイッチアームが前記第２位置にあるときに空気力学的流体が前記掛け金部材を解放するために前記切替スイッチを起動し、前記力部材が前記スイッチアームを前記第１位置に移動させることを可能にする掛け金解放を備える切替スイッチ。
【請求項４９】
（ｅ）前記スイッチ組立体から離れて配置された圧縮流体源；及び、
（ｆ）絶縁体材料の管により前記掛け金開放に接続された前記圧縮流体源をさらに備える、請求項４８に記載の切替スイッチ。
【請求項５０】
（ｇ）前記スイッチアームを前記の力部材に逆らって前記第１位置から前記第２位置に手動で動かすための手段をさらに含む、請求項４９に記載の切替スイッチ。
【発明の詳細な説明】
【０００１】
【発明が属する技術分野】
本発明は、駆動装置、特に変速モーター駆動システムのような、可変な駆動の操作に対する駆動装置及びその方法に関する。
【０００２】
【従来の技術】
可変出力駆動装置は、従来、可変な電力をＡＣモーターに供給する産業にて使われている。これらと同様な駆動装置は、モーターとは特に関係ない可変出力電圧や周波数が望まれるところで使用される。典型的な駆動装置はＡＣ入力電源と、固定入力電圧を可変電圧や可変周波数出力に変換するための、通常固体デバイスを使うある種の変換装置を持つ。一つのその種の駆動装置はアメリカ合衆国特許5,625,545にあるもので、この中にも参照として取り入れられている。その特許は、３相ＡＣ出力を作るために、配列されたいくつかの電源セルを利用する駆動装置として使われる、電源について述べたものである。そのような複数の直列配列電源セルは、一つのセルで可能なものより高い電圧を供給するために利用される。しかしながら、動作中に、直列配列上の一つのセルが故障すると、その電流線は開回路となり、全装置を動作不能にする。多数のアプリケーション、特に変速駆動装置を利用する産業用アプリケーションにおいて、一つのセルが故障したときに、縮小モードにて動作を続ける事が望まれる。そのような縮小モードを行う一つの方法は損傷または故障したセルをショートさせる事である。これは、ショートのあるレッグは最高電圧より低い電圧で動作しなければならないため、不均衡な出力という結果になる。そのような動作は、不均衡な電線の状態を作り、負荷素子に損傷を与えかねない。それゆえ、直列配列にて１つのセルが故障した時は、通常、他の各々のレッグで同じ数のセルをバイパスする事によって減少電圧または速度で動作させることが望ましい。そのようなバイパスされたセルを各レッグに持った駆動装置からの出力は小さくなるが、駆動装置が減少電圧または速度で動作することを可能にする。駆動装置により制御される過程は、修理のためのシャットダウンまで動作を続けることができるため、そのような縮小動作は、たびたび、大いに望まれる。さらに、望まれる最小限レベルの生産を保持するために、駆動装置を減少電圧で動作させる事も望ましいだろう。一般的に、複数のコンバーターを直列配列で持つ駆動装置が故障を持った時は、可能な出力電圧及び電力は、与えられた一つのレッグにて故障していないセルの数をレッグ全体のセルの数で割った値に比例して減少される。一つの例として、前述の特許にて、例えば一つの電源セルＡ１が故障したら、一般的に、Ａ１、Ｂ１及びＣ１は適当なバイパス回路にてバイパスされる。そのような回路は特許5,625,545の図９に示されている。そのようなバイパス状態の動作で、参照２２、２５及び２４の３相駆動装置の出力は比例的に１／３だけ減少される。そのような動作状態では、モーターに可能な出力電圧は最大電圧の６６％となる。そのような状態で、モーターは定格速度のおよそ２／３に達することができる。多くのアプリケーションにおいて、故障セルのモードにて定格速度の６６％に達することができることは望ましい。
【０００３】
【発明が解決しようとする課題】
しかしながら、それでも、これらは駆動装置から可能な出力速度と動力の実質的な減少を意味する。複数の電源セルまたはコンバーターが直列で使われている時、負荷に運ばれる全電力は、通常、全ての電源セルから大体等しく供給される。したがって、上記の例では、９つのセルの１つが故障した場合、定格の８９％がまだ可能である。例において、２つの動作中の電源セルＢ１、Ｃ１をバイパスにて外すことで、これらの電源セルはもはや、負荷に可能な出力電圧と電力に寄与しなくなる。それゆえ、負荷に可能な出力電圧と電力を最適化する事はたいへん望ましい。この発明は、故障モード中に、全ての使用可能なセルとコンバーターを利用した電力出力での動作を可能にする装置及び方法を与える。
【０００４】
【課題を解決するための手段】
本発明は、多数のレッグの各々に直列に接続された多数のセルまたはコンバーターを持つ、多相電力供給の動作方法に向けられている。これは、各々のレッグが、そのようなレッグ中に接続されたセルの全体数に等しいレッグ電圧を持つ結果となる。さらに、その電源は、各々のレッグの対のターミナル間に線間電圧出力を持つ。この発明は、レッグの共通接続点には接続されず、レッグの終点だけに接続される負荷に応用されるため、線間出力電圧だけが負荷に現れる。あるレッグにて１つあるいは複数のセルが故障した故障状態中に、線間電圧出力は最大化される。これは、レッグ中の故障セルの検出及び、電気的バイパスによる故障したセルを周る電流経路の形成によって行われる。結果として、故障したセルからの電圧成分は、それがそれまでに接続されていたレッグの中には含まれない。電源の出力において、故障していないセルの出力は線間電圧を最大にするよう制御されるため、それらの大きさは大体等しくなる。それらの出力を調節することで、電源出力の線間の相電圧は均衡化される。故障セルなしの３相出力供給にて、均衡化された電圧は、レッグの間に１２０°位相の関係を持つことで保持される。故障セルが発見された時、線間の位相の均衡は、それぞれのレッグの間で、レッグ間位相の関係を調節することで回復する。レッグ間のピーク電圧要求を減少する方法を実行するための回路の詳細設計があたえられている。電圧命令信号はピーク電圧の減少を与えるために生成され、その信号は、故障セルの探知に対し補正を与えるために変更される。変更は、レッグ中の全セルの数（故障したものを含む）を動作中のセルの数（バイパスされてないもの）で割った値に比例する利得を使用する利得制御になるだろう。この発明は、特に、各レッグのパルス幅変調直列コンバーターに適合する。結果は、システム中の、電力供給からの均衡された線間出力と故障していない各セルの最大利用となる。
【０００５】
【発明の実施の形態】
図１ａはＡＣ駆動装置の電気回路図を示す。これは、発明が利用できる典型的な配列であるが、他の駆動装置と電源もこの発明の装置及び方法を利用できる。３相引き込み線１が電源変圧器２に送られる。示されているように、電源変圧器２はどのような構成にもなりえ、好ましい具体化は米国特許5,625,545に示される複式の巻線３相絶縁変圧器になるであろう。そのような変圧器は、３相引き込み線１から活性化される、星型または網目状に接続される１次巻線を持つ。そして、変圧器はいくつかの、単式または複式２次巻線を活性化する。現在の好ましい具体化では、駆動装置のいくつかのコンバーターまたは電源セルに応答する、いくつかの２次巻線があるであろう。前述の特許で教えられているように、巻線は特定の電気的位相に前もって選択されていることが望ましい。いくつかのアプリケーションでは、他の変圧器の構成が利用され、特定のアプリケーションでは引き込み線絶縁変圧器は全く利用されないであろう。図１ａに示されているように、引き込み線変圧器や他のＡＣ電源は個々のコンバーターに給電する。図１ａでは１５個の電源セルまたはコンバーターが利用されている。この回路配列では、出力線に３つのレッグがあり、それぞれ５つの電源コンバーターを持つ。レッグＡはコンバーターＡ１からＡ５を持ち、レッグＢは電源コンバーターＢ１からＢ５を含み、そしてレッグＣは電源コンバーターＣ１からＣ５を含む。いずれのレッグにおいても可能な電圧はそのレッグの電地の合計となり、たとえば、レッグＡは、電源コンバーターＡ１からＡ５の合計の出力電圧を持つ。同様に、レッグＢは、コンバーターＢ１からＢ５の合計の出力電圧を持ち、レッグＣは、Ｃ１からＣ５の５個のコンバーターの合計電圧を持つ。この駆動装置は３相電源をモーター２０に給電していて、これはいかなる負荷にもなり得るが、図中例では、通常、誘導モーターになるだろう。この適用例は変速ＡＣ駆動装置を作るものと理解される。このように、これはプロセスモーター、ファン、ポンプや他の装置をコントロールする。通常、初期立ち上げ時でも過程中の運転でも変速動作を維持することが望まれる。このように、ターミナルＡ、ＢとＣでモーターに可能な電圧はその駆動装置の制御により変動する。このモーター２０は、レッグＡとＢの電源コンバーターの合計電圧として、ターミナルＡ−Ｂ間の電圧を検知する。結果として、ターミナルでモーターに可能な電圧は電源セルの合計電圧（A1+A2+A3+A4+A5-B1-B2-B3-B4-B5）になる。それぞれ他のモーターターミナル電圧についても、それぞれのターミナル間の接合点での電圧の合計電圧になる。このように、ターミナルＢとＣ間の電圧は、電源セルの合計（B1+B2+B3+B4+B5-C1-C2-C3-C4-C5）から成る。同様に、ターミナルＣからＡの電圧は、コンバーターの合計（C1+C2+C3+C4+C5-A1-A2-A3-A4-A5）から成る。示されているように、駆動装置のそれぞれのレッグは共通または中性点Ｎを持った星型に接続されており、その点は負荷、この場合はモーター２０には接続されない。それぞれのレッグからくる電圧成分は、それぞれのレッグでの、中性点からモーターターミナルまでの電源セルの合計となる。レッグＡの出力電圧はターミナルＡとコンバーター配地の中性点Ｎとの間で計測される。それはコンバーターＡ１からＡ５の合計を含む。わかるように、もしコンバターセルＡ１が故障すれば、この場合の負荷モーター２０への可能な電圧は、レッグからセルが１つ抜けた電圧として計測されるＡからＮの電圧に減少するであろう。もし、１つのセル、例えばセルＡ１が故障したモードで、駆動装置を動作させれば、そのセルはショートかバイパスされるであろう。出力を均衡させるため、通常は、他のそれぞれのレッグでもう１つのセルがバイパスされる。例として、セルＡ１が故障したとすると、セルＡ１、Ｂ１とＣ１をバイパスさせるのが普通のやり方である。結果として、モーターターミナルＡ、ＢとＣに可能な出力電圧は均衡状態を続ける。しかしながら、回路構成で利用される動作中の電源セルの数が減るため、可能な電圧と電力は減ってしまうだろう。しかしながら、この発明の実施では、もしセルＡ１が故障すれば、それはバイパスされ、セルＢ１とＣ１はその出力の動作を続けられ、電圧と電力は高い最高レベルを保持できる。
【０００６】
図１ｂは、図１ａで示されたＡ１−５、Ｂ１−５とＣ１−５のような電源セルまたはコンバーターを示す。しかしながら、他の電源セルやコンバーターも、この発明の実施にて利用できることも理解できる。図１ｂに示されている電源セルと制御は、米国特許5,625,545で示されているものと同様である。しかしながら、マスターコントローラーは、故障モード中に高い出力を可能にする方法において、個々の電源セルの制御を与える。示されているように、電源セル５０は、ダイオード５１ａ−５１ｃと５２ａ−５２ｃから成る整流器を利用し、３相引き込み線電源をＤＣ成分に変換する電源コンバーターである。この整流器の出力は、蓄電及びＤＣ出力の平坦化をするためコンデンサ５３ａと５３ｂに接続される。コンデンサ５３ａと５３ｂは容量蓄積の典型であり、正確な必要容量は特定のアプリケーションに依存してくる。コンバーターのＤＣ電源は、パルス幅変調方式（ＰＷＭ）を使用し、選択的に、コンバーター出力５４、５５に印加する。パルス幅変調器は、図のＱ１−４のような半導体スイッチから成るブリッジコンバーターを使用することで実行されるであろう。電源のレベルによって様々な種類の、許容できるスイッチ素子が使用でき、様々な固体素子が選ばれるであろう。示されているように、コンバーター出力は４つのトランジスタ５６、５７、５８と５９を利用している。このようなパルス幅変調動作では、動作中にスイッチは完全なオン状態と完全なオフ状態が考えられる。図１ｂに示される回路は、各々の固体素子をまたいで４つのダイオード６０−６３を利用している。ほとんどのアプリケーションで理解されるだろうが、複式コンバター構成で利用される電源セルまたはコンバーターは、サブアセンブリーの数を制限したり、駆動装置内での部品の相互交換を可能にするため、類似したもので１つの形式で組み立てられているものが望ましい。図１ｂに示されるように、コンバーター５０は図１ａの全てのコンバーターとして利用できる。図１ｂで、電源コンバーターの一部として示されているものはバイパス６９である。バイパスは、駆動装置ユニットの中で、コンバーターのサブアセンブリーの一体品の一部として組立てられてもよい。他のアプリケーションでは、バイパス６９は単独に備え付けられる事もできる。バイパス６９は機械的、電気的または固体素子でもよい。ここで好まれているものとしては、利用されるバイパスは、米国特許5,625,545の図９で示されているものと同様な、固体素子であろう。バイパス６９が動作すると、それは効果的に、コンバーターの出力線５４と５５間にバイパスを作る。そこでは、電流はコンバターの代わりにバイパス６９を通して運ばれる。もし、開回路モードで故障したコンバーターがバイパスされなければ、そのレッグを通る電流はゼロになる。それゆえ、各々のコンバーター出力に６９のようなバイパス回路を持つことが望まれる。故障セルを観測、検知するためのたくさんの方法が知られており、使われている。簡単な方法は、セルの出力電圧を指示された出力と比べることである。他の方法は、セル成分のチェックや検証または診断ルーチンの使用などがある。発明の説明は、時たま、単純化のため、１つのセルの故障を想定するが、この発明は、１つ以上のレッグでの１つ以上のセルが故障した場合に動作を続ける装置と方法を含むものと理解すべきである。このように、この発明は、１つのセル、例えば図１ａのＡ１が故障した時だけではなく、複数のセル、例えばＡ１、Ｂ２、Ｂ３とＣ４が故障した場合でも、増強された効果の動作を与える。
【０００７】
図１ｂに示されているように、コンバーターは図の参照６５で示されるように局在コントローラーの利用を通して制御される。局所コントローラーはまた、個々のセルまたはコンバーターに結合され、含まれることが望ましい。このように、それは、例えば、パルス変調器や他の技術を利用して特定のコンバーターを制御するであろう。コンバーターの動作は電圧の制御に利用されるだけではなく、特定の望まれる波形を作る方法の制御にも利用される。局所コントローラーは、先に参照した特許で述べられているようにも動作する。局所コントローラーが個々のコンバーターに置かれている時、マスターコントローラーから受信される制御信号は、例えば光ファイバー制御リンク６６のような光ファイバーシステムを通して局所コントローラーに伝送されることが望ましい。この発明の実施において、局所コントローラーを不必要にするために、特定の制御機能がマスター制御にまとめられることや、光ファイバー以外に、例えば従来のワイヤー接続での信号転送が利用できるものと理解すべきである。
【０００８】
例として、局所コントローラーが個々の電源セルサブアセンブリーに含まれている場合、そのアセンブリーへの信号はマスターコントローラーから生成される。図１ｃは、異なった信号ＶＡ*、ＶＢ*とＶＣ*を生成するために利用されるマスターコントローラー７０を示す。これらの信号ＶＡ*、ＶＢ*とＶＣ*は命令、またはレッグＡ、レッグＢとレッグＣのそれぞれのコンバーターからの望まれる電圧の模写である。マスターコントローラー７０はＡレッグのコンバーターＡ１からＡ５のそれぞれに制御信号ＶＡ*を与える。同様に、マスターコントローラーは信号ＶＢ*を、コントローラーＢ１からＢ５に対して制御する。さらに、マスターコントローラーは、コントローラーＣ１からＣ５への信号ＶＣ*を通して、レッグＣに対し信号を与える。ＰＷＭ変調器は各電圧命令を、図１ｂのトランジスタ５６、５７、５８と５９用の可変なデューティーサイクルスイッチパターンに変換するのに使用できる。図１ｃの制御構成は、発明の実施で利用されるたくさんの制御構成の１つだけを示していることが理解できる。
【０００９】
従来の方法では、１つのセルが故障した場合、他の全３個の位相で同じ数のセルを、たとえそれらが使用可能でも、ショートさせていたのに対し、この発明は、全ての使用可なセルを均衡した出力に寄与させる方法を利用する。
【００１０】
図１ｄは、故障したセルをバイパスするために、代替的に使われる具体化を示す。図１ｄの代替ｉはリレーまたは接触機の接触によりバイパスされた電源コンバーターセルを示す。図中の開いた状態がソレノイドの励磁により接触した時、セルの出力ターミナル間にショートの線ができる。図ｉｉには、他のバイパスとして利用されるだろうものを示す。この代替案において、トリップ開放装置がバネを付けた接点をセルの出力ターミナル間にバイパスを作るように動かす。トリップ開放装置は電気的または機械的に動作し、いくつかの具体化では開回路検出装置として機能する。図ｉｉｉはその出力ターミナルに２つのシリコン制御整流器を逆極性にして利用したバイパス回路を持つ電源コンバーターを示す。両方のシリコン制御整流器をオンにする事でセルの出力ターミナル間にバイパス回路ができる。コストや特定のアプリケーションに依存するが、代替ｉｖに示すように、対になったトランジスタを使用しても同様なバイパス回路を作成できる。
【００１１】
図２は各レッグの電圧及びレッグ間の位相を図解するために描かれた、典型的な直列配置のセルの配列を示す。例として、各セルは４８０ＶのＡＣ出力を発生できるとする。各セルは円で表され、５個のセルが各々の点Ａ、Ｂ及びＣと中性点Ｎの間に接続されている。示されているように、配列は通常、点Ｎから各点Ａ、Ｂ及びＣでおおよそ２，４００Ｖまでの電圧を発生する。もし制御がこれらの３つの電圧を等しく、かつ位相が相互に１２０°に変位させていれば、この配列は均衡化された３相ＡＣ出力電圧を作りだす。図２におけるこの場合では、可能な最大線間電圧は４，１６０Ｖになる。もし１つ以上のセルが故障しても、セルの出力ターミナルをショート回路にすることで、減少電圧での動作の継続が可能である。不活性のセルは図１ｂで述べられたような方法でバイパスすることができる。
【００１２】
図３はセルＡ４とＡ５がバイパスされた後の可能な電圧を示す。それらはバイパスされているため配列の合計電圧には寄与しないので図３の電圧図には示されない。バイパスされたセルＡ４とＡ５はレッグＡにあったので、そのレッグはＮから点Ａに拡張される。図３に示されているように、Ａ１、Ａ２とＡ３の３つのセルだけがレッグＮからＡに残っている。これは、バイパスされたセルに残っている電圧成分は存在しないからである。結果として、レッグＡ（点Ｎと点Ａの間）からの可能な最大電圧は４０％減少し、おおよそ１，４４０Ｖなる。示されているように、他のレッグＮからＣとＮからＢの最大電圧はまだ可能である。もし制御が、例えば１２０°の変位角度を保っているとすれば、電圧ＶＣＢは電圧ＶＡＣとＶＢＡよりかなり大きいため、出力電圧は不均衡になるだろう。そのような不均衡な電圧は、例えば標準的なＡＣ誘導モーターなどの負荷を駆動するのには適さないであろう。この不適切な状態を防ぎ負荷の動作を保つため、従来の技術では、セルが故障した後に同じ数のセルを全３位相でバイパスする事が慣例であった。たとえそれらの大部分が完全な動作状態であったとしても、出力電圧を均衡化する願望は、全ての動作中のセルを使うという願望を超えていた。それゆえ、この状態では配列からの最大出力電圧は、レッグ中に最も多い故障したセルを持った位相の容量に限られる。均衡を保つためにバイパスされた使用可能なセルの余分な電源容量は利用されない。図３の配列にて、故障したセルＡ４とＡ５をバイパスし、さらに動作中のセルＢ４、Ｂ５、Ｃ４とＣ５もバイパスされたものを図４に示す。この図における最大の均衡な線間電圧は定格電圧の６０％、例では２，４９４Ｖになる。コンバーターまたはセルの配列からモーターのターミナルへの接続は普通３本の配線だけである事を理解することは重要である。配列の中性点Ｎは普通、モーターの中性点には接続されない。それゆえ、点Ｎから点Ａ、ＢとＣへのレッグ電圧が同じ大きさの電圧を持つか、さらには、それらが相互に１２０°変位しているかはモーターにとって問題にならない。モーターは、線間電圧ＶＡＣ、ＶＢＡとＶＣＢが同じ大きさを持ち、かつ相互に１２０°変位している事だけを要求する。図４の回路図は均衡した出力の電圧と１２０°の相互の変位を呈しているが、駆動中に全ての機能しうるセルによる全能力を利用していない。
【００１３】
図５ａは、例えば図１のような配列がセルＡ４とＡ５の故障の後どのように配列されるかを示す。この図で、Ａ４とＡ５は故障によりバイパスされるため、レッグＡ全体の電圧、すなわちＮからＡへの電圧に関与しないと仮定する。図５の電圧図に達するため、駆動装置の動作は位相ＢとＣの間の位相角度を利用し、それは１２０°から９５°に縮小される。残りのＡとＣ及びＢとＡの角度は１２０°から１３２.５°に拡大される。これらの角度は線間電圧ＶＡＣ、ＶＢＡとＶＣＢが同じ大きさになる結果となる。さらに図５ａで、ＶＡＣ、ＶＣＢとＶＢＡ間の相互の位相変位は１２０°となる。図５に示されているように、この時の可能な最大の均衡な電圧は定格電圧の８５％、または３，５４２Ｖとなる。モーターはまだ３相電圧の均衡を得ているので、それは、１２０°の相互位相変位を持った均衡な電流を引き出す。しかしながら、セルの電圧はもはや１２０°の相互位相変位を持っていないので、このとき、セル電圧とセル電流の角度は位相の間で異なる。軽い負荷で、モーター電流がモーター電圧に対し９０°近く遅れるとき、セルのいくつかはセル電流がセル電圧に対し９０°以上遅れる可能性がある。これは、エネルギーを消散や再生することができないであろうセルにそれらを吸収させようとする。したがって、軽い負荷での方法での動作は避ける事が望ましい。軽い負荷の駆動でこの発明が望まれるときは適当な電流や負荷検出が構築されるだろう。
【００１４】
図５ｂはもう１つの例として、レッグＢで１つのセル（Ｂ５）、レッグＣで２つ（Ｃ４とＣ５）が故障した場合を示す。ここで、レッグＡとＢの角度は９６.９°に、ＡとＣは１１３.１°に縮小される。これはまた、３２４９Ｖまたは定格電圧の７８％の均衡な線間電圧を与える。
【００１５】
図５ｃにもう１つの例として、Ｂ４、Ｂ５、Ｃ３、Ｃ４とＣ５が全てバイパスされた例を示す。この調整はそれでも５１％、または２１２１Ｖの電圧を可能にする。
【００１６】
要求される制御角度は各位相に残っている機能可能なセルの数に依存する。位相間の関係に対する明確な数値は、故障状態が検知されたときの制御の中で計算される。他の方法としては、与えられた故障状態に対応する、あらかじめ計算された位相角度を持つことが望ましい。図３、５ａ、５ｂと５ｃは特定の故障状態を示す。これらの全ての例が１つの位相当り５つのセルを持つ。１つの位相当り５つのセルを持つ構造には他の故障があることは明白である。さらに、この発明は位相当りいくつのセルを利用しても実行できる。一度、与えらたアプリケーションの位相当りのセル数が判れば、故障の明細が決まり、適当なレッグ間の位相角度も計算できる。特定のレッグ間の位相角度を計算する代わりに、システム内に特定の故障状態をプログラムしておく事も望ましい。これらは与えられた故障状態に対するあらかじめ決められた数値になるだろう。ルックアップテーブルもこの発明の実行で利用できるであろう。後にある表１−７は一般的な、レッグ当り２から８のセルを利用した電源のレッグ間位相関係の数値を与える。この表内にて、レッグはレッグＡ、ＢとＣを持つ３相Ｙ配置であると仮定してある。表は、レッグ中のどのセルが故障したかは問わないで同じ値を与える形に省略してある。さらに、電源での故障はどのレッグで故障があったかにかかわらず同一の結果となるため、Ａ＝５、Ｂ＝３とＣ＝５の電源は、動作セルＡ＝５、Ｂ＝５とＣ＝３の電源と同じである。それゆえ、表は全ての組み合せを含む、簡単に縮小された形で与えられる。表中において、Ａは常に最もセルの数が多く、Ｂは次にセルの数が多く、そしてＣはセルの数が最も少なくなるように表してある。表１−７は、マイクロプロセッサーでの構成において、故障を持った電源の適当な位相角度を決めるためのルックアップテーブルとして使用できる。テーブルにおいて、項目Ｖmax％は、故障状態の可能な最大電圧を通常の線間電圧のパーセンテージで示すために使われている。全ての位相角度は、故障が発生していない場合の通常のＡベクターとの関係になっている。例えば、Ａ０は、故障していない時のレッグＡと故障した時のレッグＡとの角度である。全ての与えられた角度は、故障してない時のＡレッグとの関係になっている。事前に与えられた例はレッグ当り５つのセルに関係しているので、これらの例は表４で見られる。
【００１７】
【表１】
0004553167.tif 000002
【表２】
0004553167.tif 000003
【表３】
0004553167.tif 000004
【表４】
0004553167.tif 000005
【表５】
0004553167.tif 000006
【表６】
0004553167.tif 000007
【表７】
0004553167.tif 000008
【表８】
0004553167.tif 000009
【表９】
0004553167.tif 000010
【００１８】
表１−７中の角度は最適な角度を与えているが、角度の計算は、特に全てのレッグにて機能しうるセルの数が異なるとき、かなり難しい。しかしながら、この発明の他の教授を利用することでそれらの角度の計算は必要でなくなる。既存の制御構成は表１−７とほぼ同じ程度の良さを持った均衡したバイパス制御に変更できる。各レッグの個々のセルの電圧はパルス幅変調器にて制御される。この変調器は、各位相またはレッグへの命令波形と三角搬送波形群を比べる事で、図１ｃに示されているように実行できる。搬送波形はセルに対して望まれるスイッチング周波数で振動する。これらの搬送波形はセル間の調和した相殺を得るため様々な位相角度を持つことができる。命令波形は単に点Ｎから点Ａ、すなわちレッグＡ、ＢとＣの望まれる出力電圧の模写である。セルの配列が、例えばモーターなどの負荷を駆動するとき、望まれる線間出力電圧は通常、正弦波になる。しかしながら、もし正弦波命令波形が使用されれば、可能な最大出力電圧はサイン波の振幅が搬送波の振幅と等しくなる値に限られる。３相サイン波では、１つの位相が最大電圧に達する瞬間、他の２つの位相は反極性の最大のたった半分である。これは使用されない能力を生じる。最大電圧の限度を増大させるため、図６に示されているような制御方法がよく使われる。図６のブロックダイアグラムに示されているように本来の正弦波命令、ＶＡ*、ＶＢ*、ＶＣ*が処理される。この処理の出力はその後パルス幅変調器に送られる。
【００１９】
図６（従来の技術）に示されているように、最大値選択とラベルされたブロックは、いかなるときも、３つの電圧命令のうち最も正のものに等しい信号を作り出す。最小値選択とラベルされた同様なブロックは、いかなるときも、３つの電圧命令のうち最も負のものに等しい信号を作り出す。これら２つの信号は足し合わされ、半分に割られる。そして、パルス幅変調器に送るための新しい電圧命令の組を作るため、各々の元電圧命令から結果の信号が引かれる。変更された電圧命令ＥＡ*、ＥＢ*とＥＣ*はＰＷＭ制御に送られるピーク値減少命令となる。例えば、もし最大正の電圧命令の大きさが最大負のものと等しければ、合計の出力はゼロとなる。しかしながら、もし最大正の電圧命令の大きさが最大負のものより大きければ合計の出力は正になる。全ての命令からこの違いの半分が引かれたとき、新しい命令の組となる、ＥＡ*、ＥＢ*、ＥＣ*は、同じサイズの値を持った最大の正と最大の負を持つだろう。図６に示されているように、ピーク電圧減少方法は、全３つの命令から同じ信号を引く。そのような信号は「共通モード信号」呼ばれる。その減算の極性は、最も大きい値が小さくなる向きで、他の１つまたは２つの命令は大きくなる。要するに、余分な能力を持った位相が最も大きい重荷を持った位相を「助ける」ために使われることになる。この方法は、可能な線間電圧を、正弦波に比べ２０％増大させる。これは、簡単な変更によって、故障セルバイパス発明にも使われる。
【００２０】
図６のピーク電圧減少方法は、新しいバイパス発明方法を実行するために変更できる。図７は非常に簡単な変更を示す。図６の図形に必要なただ１つの変更は、正弦入力命令ＶＡ*、ＶＢ*とＶＣ*に対する調整可能な利得ＫＡ、ＫＢとＫＣを導入することである。これらの新しい利得は、もし故障セルがなければ、通常は均一である。その状態では、それらは出力値ＥＡ*、ＥＢ*とＥＣ*に効果を及ぼさない。しかしながら、もし１つ以上のセルがバイパスされれば、動作中のセルが減った全ての位相に対する利得の値は、通常のセル数をその時の故障していないセルの数で割った比の分だけ増大される。その結果は、残ったセルの命令を本来の出力電圧を保つのに必要な量だけ増やすことになる。利得機能ブロックＫＡ、ＫＢとＫＣはこの機能を与える。この新しい命令は他のセルを失っていない、またはより少ないセルを失った位相の命令より大きいため、残ったセルの重荷を減らし、他の位相のセルが故障を持ったレッグへ供給を「援助する」ような共通モード信号が作られる。
【００２１】
図８、９と１０は図７において、それぞれゼロ、２つと４つのバイパスされたセルを持った波形を示す。図８に示されているように、故障セルが無いときは、それぞれのレッグＫＡ、ＫＢとＫＣはそれぞれ１に等しい。図７で、ＶＡ*、ＶＢ*とＶＣ*で示される信号は制御の他の部分で作られる、均衡な正弦波電圧命令である。これらの信号は利得ＫＡ*、ＫＢ*とＫＣ*によって増大され、それぞれ、信号ＵＡ*、ＵＢ*とＵＣ*を生成する。図８は、図２にて１つもセルがバイパスされない場合を示し（よって、ＫＡ＝１、ＫＢ＝１、ＫＣ＝１）、それゆえ、図８ａでは、ＵＡ*、ＵＢ*とＵＣ*もまた均衡な正弦電圧である。ＵＢ*がそれの正側のピーク値に達した瞬間、ＵＡ*とＵＢ*の両者は負になるが、その値はＵＢ*の大きさの半分である事に注意。図８ｂは、最大値選択ブロックからの信号ＵＭＡＸと、最小値選択ブロックからの信号ＵＭＩＮを示す。図８ｂで、明快化のためＵＡ*とＵＣ*は省略され、ＵＢ*だけが描かれている。ＵＭＡＸは、信号ＵＡ*、ＵＢ*とＵＣ*のどれかが最大正になった時、それに従い、ＵＭＩＮは、ＵＡ*、ＵＢ*とＵＣ*のどれかが最大負になった時、それに従うことがはっきりしている。図８ｃは８ｂと同様で、信号ＵＣＯMが加わっている。ＵＣＯＭはＵＭＡＸとＵＭＩＮを足し合わせ、２で割ったものである。ＵＣＯＭは３つの信号ＵＡ*、ＵＢ*とＵＣ*から引かれる共通モード信号である。図８ｄはこの減算の結果を示し、ここでは、ＥＡ*＝ＵＡ*−ＵＣＯＭ、ＥＢ*＝ＵＢ*−ＵＣＯＭ、ＥＣ*＝ＵＣ*−ＵＣＯＭとなっている。これらの３つの信号はＵＢ*（またはＵＡ*またはＵＣ*、ここでは示されていない）より低いピーク値を持つことに注意。ＵＢ*がその正のピーク値に達した瞬間、ＥＢ*は低めの正のピークを持ち、ＥＡ*とＥＢ*の両者はＥＢ*と同じ大きさの負の値を持つ。ＥＡ*、ＥＢ*とＥＣ*がセルのＰＷＭ変調器の制御で使われるとき、その瞬間での効果は、Ａ位相とＣ位相から要求される大きさを増やすことによりＢ位相で要求されるピーク電圧の大きさを小さくすることとなる。
【００２２】
しかしながら、図９ではセルＢ４とＢ５がバイパスされている。図９の波形は図７でセルＢ４とＢ５がバイパスされた場合の出力に対応している。図９は、図８において位相Ｂの２つのセルがバイパスされたとき（図３のように）と同じ信号を示す。信号ＶＡ*、ＶＢ*とＶＣ*はまだ均衡であるが、利得ＫＢは、通常のセル数を残っているバイパスされていないセルの数で割った比、すなわち５／３＝１.６７に等しく増大されている。その他の利得は影響をうけないので、ＫＡ＝１、ＫＢ＝１.６７、ＫＣ＝１となる。それゆえ、図９で、ＵＡ*とＵＣ*は均衡な正弦電圧であるが、ＵＣ*はもっと大きい。図９ｂは、この条件下での最大値選択ブロックからの信号ＵＭＡＸ、最小値選択ブロックからの信号ＵＭＩＮを示す（明快化のためＵＡ*とＵＢ*は省略してある）。図９ｃは図９ｂと同様で、ＵＣＯＭが加わっている。今回は不均衡があるため、ＵＣＯＭはＵＢ*信号の意味のある成分を含んでいる。図９ｄは、ＥＡ*、ＥＢ*とＥＣ*を得るために、ＵＡ*、ＵＢ*とＵＣ*からＵＣＯＭを引いた結果を示す。これらの３つの信号は、ＵＢ*より小さいピーク値を持ち、各々のサイクル内の異なった位置に同じ大きさのピーク値を持つことに注意。ＵＢ*がその正のピーク値に達した瞬間、ＥＢ*はかなり小さい正の値を持ち、ＥＡ*とＥＣ*の両者はＥＢ*と同じ大きさの負の値を持つ。ＥＡ*、ＥＢ*とＥＣ*がセルのＰＷＭ変調器を制御するために使われるとき、その効果は、たとえ位相Ｂの５つのセルのうち２つがなくなっても、残ったセルは同じピーク電圧を作ることを要求される結果となる。もし駆動出力電圧が徐々に増えれば、残った全１３セルはそれらの電圧極限に同時に達するであろう。これは、全ての１５セルが動作したときの可能な電圧の約８５％で起こる。しかしながら、もし各位相にて２つのセルがバイパスされれば、可能な最大電圧はたった６０％にしかならない。
【００２３】
そのようなバイパス配列の電源回路の略図は図５に示されている。よって、２つのセルがバイパスされているこの例では、定数ＫＢは、以前の１から現在の値１.６７に増やされている。数値は次の方程式によって計算される。
【００２４】
【数１】
0004553167.tif 000011
【００２５】
レッグ中の全セル数はバイパスされてないセルとされているセルの両方を含む。示されている図ではＫＢ＝５／３または１.６７である。図１０は、パルス変調器への命令出力ＥＡ*、ＥＢ*とＥＣ*を持った図７からの波形を示す。この例では、セルＡ２、Ａ３、Ａ４とＡ５がバイパスされている。図１０は、図８において４つのセルがレッグＡでバイパスされた場合を示す。信号ＶＡ*、ＶＢ*とＶＣ*はまだ均衡しているが、利得ＫＡは、通常のセル数を残っているバイパスされていないセルの数で割った比、すなわち５／１＝５に等しく増大されている。
他の利得は影響を受けないため、ＫＡ＝５、ＫＢ＝１、ＫＣ＝１となる。それゆえ、図１０ａで、ＵＢ*とＵＣ*は均衡な正弦波電圧であるが、ＵＡ*はもっと大きくなる。図１０ｂは、この条件下での最大値選択ブロックからの信号ＵＭＡＸ、最小値選択ブロックからの信号ＵＭＩＮを示す（明快化のためＵＢ*とＵＣ*は省略してある）。図１０ｃは図１０ｂと同様で、ＵＣＯＭが加わっている。今回は不均衡があるため、ＵＣＯＭはＵＡ*信号の重要な成分を含んでいる。図１０ｄは、ＥＡ*、ＥＢ*とＥＣ*を得るために、ＵＡ*、ＵＢ*とＵＣ*からＵＣＯＭを引いた結果を示す。これらの３つの信号は、ＵＡ*より小さいピーク値を持ち、各々のサイクル内の異なった位置に同じ大きさのピーク値を持つことに注意。ＵＡ*がその正のピーク値に達した瞬間、ＥＡ*はかなり小さい正の値を持ち、ＥＢ*とＥＣ*の両者はＥＡ*と同じ大きさの負の値を持つ。ＥＡ*、ＥＢ*とＥＣ*がセルのＰＷＭ変調器を制御するために使われるときは、たとえ位相Ａの５つのセルのうち４つがなくなっても、残ったセルは同じピーク電圧を作ることを要求される結果となる。もし駆動出力電圧が徐々に増えれば、残った全１１セルはそれらの電圧極限に同時に達するであろう。これは、全ての１５セルが動作したときの可能な電圧の約６７％で起こる。しかしながら、もし各位相にて４つのセルがバイパスされれば、可能な最大電圧はたった２０％にしかならない。
【００２６】
これは図７の入力に対して新しい利得定数の結果となる。これらの新しい定数はＫＡ＝５、ＫＢ＝１、ＫＣ＝１となる。前に述べられているように、レッグＢとレッグＣに故障が無いので定数は一致している。これは、各レッグの全セル数を、使用可能なバイパスされていないセルの数で割る事で求められる。レッグＢとレッグＣの各例にて、数値は５／５となる。しかしながら、レッグＡはＡ２，Ａ３、Ａ４とＡ５がバイパスされているため、数値ＫＡは、レッグ中の全セル数を動作中のセル数、すなわち１で割った値５に等しくなる。結果は定数ＫＡ＝５となる。これらの数値ＫＡ、ＫＢとＫＣを改定する事で、図１ａの回路は１つのレッグ中に４つの故障したセルがあっても、モーターのターミナルＡ、ＢとＣに対し均衡な出力電圧を保つことができる。動作中の電源セルまたはコンバーターの７３％、すなわちＡ１、Ｂ１−５とＣ１−５がモーターに電源を供給している。このような条件下で、もし同じ数のセルをバイパスする方法が利用されれば、モーターターミナル間の最大電圧は２０％になるであろう。しかしながら、この発明を利用することで、１つのレッグ中に４つの故障セルを持ったシステムにおけるモーターターミナル間の出力電圧は６７％に等しくなる。
【００２７】
図１１は変更されたパルス変調器信号ＥＡ*、ＥＢ*とＥＣ*を与えるために使われる回路図を示す。入力ＶＡ"、ＶＢ"とＶＣ"はセル故障定数ＫＡ、ＫＢとＫＣを表す利得制御８１−８３を通して給電される。最大値選択−最小値選択回路は、最大値選択に給電しているダイオード８４、８６と８８を備えたダイオードブリッジを利用している。同様に、ダイオード８５、８７と８９は最小値選択機能に給電する。電圧分圧回路は抵抗９４と９５を利用し、２で割る機能を与える。その機能で２で割られた電圧は、その後、それぞれの利得の変更された制御信号と共に加算器９０、９１と９２に給電される。
【００２８】
図７または１１の方法は、表１−７の計算された角度を使用した電圧とほとんど同じ値に達するが、それは、大体の場合において許容可能な、小さな歪みを持ち込む。図７の方法は、フィードバックループが無く簡単なため、いくつかの場合において好まれるであろう。
【００２９】
図１２は、ピーク電圧命令を減少させるため、かつ新しい戦略を実行するための、もう１つの制御機能のブッロク図を示したもので、これは図７より複雑であるがより良い結果をもたらす。この方法は積分を含む内部フィードバックループを必要とするが、それは図７の歪みを避け、表１−７の計算された角度を使った電圧により近づく。
【００３０】
図７と図１２の原理的な違いは、調整可能な利得ＫＡ、ＫＢとＫＣが与えらる前に、共通モード信号ＵＣＯＭがＶＡ*、ＶＢ*とＶＣ*から引かれる事である。利得がブロック２０４、２０５と２０６で与えられるのに対し、減算は加算機能２０１、２０２と２０３で行われる。図７において、ブロック２０７最大値選択は、今回は出力信号ＵＡ*、ＵＢ*及びＵＣ*となる、入力信号のなかで最大正の入力信号に等しい信号ＵＭＡＸを作る。同様に、ブロック２０７最小値選択は、やはり出力信号ＵＡ*、ＵＢ*及びＵＣ*となる、入力信号のなかで最大負の入力信号に等しい信号ＵＭＩＮを作る。
【００３１】
信号ＵＭＡＸとＵＭＩＮは加算機能２０９で足され、ブロック２１０で半分に割られる。ブロック２１０で、その信号はさらに３つの利得ＫＡ、ＫＢとＫＣのなかで最も大きいものに等しいＫmaxで割られる。Ｋmaxでの割り算はサンプリングによるデジタル履行での安定のために必要であるが、アナログ履行には必要ない。ブロック２１０の出力は信号ＵＣＯＭを作るため機能２１１にて時間で積分される。
【００３２】
図１２の方法の動作中、最大正ＵＭＡＸが最大負ＵＭＩＮの振幅を超えるていると仮定すると、ブロック２０９からの正の残存エネルギーが、ブロック２０９を経由して積分器２１１を駆動する。これは、この時間中、積分器の出力ＵＣＯＭがさらに正になる結果となる。この正信号ＵＣＯＭが、２０１、２０２と２０３で信号ＶＡ*、ＶＢ*とＶＣ*から引かれるとき、それは、信号ＵＡ*、ＵＢ*とＵＣ*がさらに負になるような結果になる。この過程は、ＵＭＡＸとＵＭＩＮが逆極性で等しくなり、加算出力２０９がゼロになるまで続くであろう。この時点で、望まれるように、最大正と最大負信号は逆極性でかつ等しくなる。
【００３３】
図１２の方法は歪みを引き出さないで、かつ若干高い出力電圧が得られるため、図７より若干優れている。しかしながら、それは積分を含むフィードバックパスにより、より複雑である。ＵＣＯＭはそれが使われる点の下流から作られるため、フィードバックが必要になる。それゆえ、多くのケースで図７の方法が好まれる。
【００３４】
図１ｄで述べられたようなバイパス機能を利用するたくさんの多様な具体化が説明されてきたが、種々のセルからの出力の切替をするために他の構成が利用されるだろうことが理解できる。図１３は１つのそのような例を示す。この図にて、３０１の通常入力は、スイッチアーム３０３を経由して出力３０４につながれる。代替の位置として、３０３は出力３０４を代替入力３０２につなぐことができる。単極双投接点スイッチ構成は電気芸術の中でよく知られている。示されているように、スイッチアーム３０３は管３０６から供給される流体による流体動作ピストン３０５によって駆動される。好まれる具体化では、流体は空気であり、管３０６は絶縁体のプラスチックである。そのような材質はたやすく入手できる。３０８は圧縮空気の源である。キャプティブ貯臓器かコンプレッサーか他の圧縮流体源である。ソレノイドバルブの電気的動作がスイッチアームを動かす。
この構成では、図１ｄに示されるバイパス接触器の代わりに、切替スイッチが使われている。このような構成の利点は、機械的接触器が高電圧領域に置かれ、かつ絶縁管により電気的隔離が保持されることである。結果として、全ての高電圧は高電圧領域に保持される。電気的作動ソレノイドは３０８からの流体をピストン３０５に伝える一つの位置と、ピストン３０５から大気中に排出し、３０８を閉じる代替位置を持つ、２点位置バルブとなるだろう。
【００３５】
単極双投接点の使用は故障を持った駆動装置に連続性を与える。さらに、単極双投接点の使用は単投接点の構成に必要なヒューズの排除を可能にする。このヒューズは、もし主要なＩＧＢＴがバスからの電圧を遮断するために停止しても、セルバイパスが動作しなければならない場合に必要とされる。単極双投接点の具体化では、「閉路前の開路」始動は、故障ブリッジのバイパスの可能性を排除し、したがって、故障したセルからのヒューズまたは故障したＩＧＢＴへの全エネルギーの放電による導電性のプラズマの形成を防ぐ。この状態は他の電源回路の付加的故障を起こし得る。
【００３６】
図１４はバネ装填式接触を使用した切替スイッチを示す。この場合、空気式トリップ開放装置３１１が防壁３１２に取り付けられている。絶縁性のトリップレバー３１３がトリップ開放機構を開放レバー３１９につないでいる。スイッチアーム３１８は、代替的通常出力３１６と３１７の間の単極双投接点モードにて動作する。バネ偏り３１５は２つの位置のどちらかにアームを制御する。示されている具体化で、バネ３１７はスイッチアーム３１８を下方に引いている。しかしながら、スイッチアームの下方への動きはトリップレバー３１４で止められている。この状態で３１８は通常源３１６に接続されている。トリップ開放装置は図１３にて示され、説明されたものと同様に動作する空気装置になるだろう。３１８のトリップ開放装置が掛け金機構を稼動すると３１４が開放される。結果として、アーム３１８が代替源３１７に電気的接続される。示されている装置にて、トリップ開放装置が防壁３１２の近くに置かれるが、トリップ開放装置３１１が高電圧切替スイッチ機構にかなり近く置かれることも熟考される。そのような場合には、プラスティック管や、図１３の遠隔動作の電気作動ソレノイドの使用が望まれる。図１４には補助接触３１０も図示されている。補助接触は任意であり、電気的に切替スイッチが動作するかを決めるために利用される。図１４の切替スイッチは電気的信号を直接または空気接続を通して与えることでトリップ開放装置３１１を動作させることにより開放される。例えば、３１１は流体動作ピストンになる。通常位置から代替位置へ駆動装置が一度動作すると、切替スイッチは、掛け金とレバーが元の位置に戻るようにアームが機械的に後方に動かされるまで、そのままである。通常状態では、切替動作とリセット動作はゼロ電流状態で起こる。図１４の切替スイッチはバネ動作開放装置として示されているが、そのような切替スイッチはまた、機械的または空気的に単極双投接点装置の両点の間を動作させられる。
【００３７】
図１５で、３つのセルＡ１、Ａ２とＡ３が直列にそれらの通常モードで動作している。それらの通常の入力３２４は、例えば、Ｙ字状回路の交点である。動作中、Ａ１、Ａ２とＡ３のどれか１つが故障したとすると、スイッチ３２１、３２２と３２３は最初に電源セルを回路からはずすために動作する。切替スイッチ３２１、３２２と３２３のそれぞれのスイッチアームが他の位置に動いた時、残ったセルによる直列配列が作られる。
【００３８】
ピーク電圧減少法を利用したこの発明のいくつかのアプリケーションが示されてきたが、他の具体化が、例えば表１−７の角度等を使用することで「ピーク電圧減少法」を利用せずに、位相間の出力を均衡させるためにこの発明を利用することも理解できる。さらに、いくつかの回路図がアナログ方法を示してきたが、適当なソフトウエアプログラムを利用してこの発明を実現することも理解できる。デジタル方法は示されている回路に簡単に代用できる。さらに、この明確化で、例として使われた方法はパルス幅変調器を使用しているが、他の制御技術も同様にこの発明の実現で使われることが理解できる。
【００３９】
特定の具体化についての関係でこの発明について説明されてきたが、他のものによって作られる他の具体化もこの発明に含まれ、クレームによって含まれることが理解される。
【図面の簡単な説明】
【図１ａ】各レッグに５つの電源セルを持った３相駆動装置の具体化の電源図である。
【図１ｂ】図１ａで示されているような１つのセルの具体化を示す概略図である。
【図１ｃ】図１ａで示されているようなレッグ中５つのセルを持った駆動装置の制御に使われる制御信号構成の具体化の概略図である。
【図１ｄ】セルバイパスの具体化の代替案である。
【図２】５つのセルが直列に接続されている。３相出力の一般的な配列の電圧図である。
【図３】図２と同様であるが、レッグＡに２つの故障セルを持った配列での電圧概略図である。
【図４】レッグＡに２つの故障セルと各レッグＢとＣに２つの除去されたセルを持った、従来技術の動作方法での電圧図である。（従来技術）
【図５ａ】レッグＡに２つの故障セルがなく、レッグＢとＣの全５セルを利用した動作をする配列の電圧図である。
【図５ｂ】位相Ｂに１つと位相Ｃに２つの失ったセルを持った後での動作の配列の電圧図である。
【図５ｃ】位相Ｂに２つと位相Ｃに３つの失ったセルを持った後での動作の配列の電圧図である。
【図６】３相供給へのピーク電圧命令を減少するための、従来技術の制御機能の図解である。
【図７】故障コンバーターセルを持った動作中に、ピーク電圧を減少し、かつ出力電圧を最適化する制御機能のブロック図である。
【図８】様々な動作条件下での制御信号波形を示す図解である。
【図９】いくつかの具体化の信号波形である。
【図１０】いくつかの具体化の信号波形である。
【図１１】図７の具体化の回路図である。
【図１２】故障コンバーターセルを持った動作中に、ピーク電圧を減少し、かつ出力電圧を最適化する制御機能の、２つ目の改善したブロック図である。
【図１３】気体式動作の切替スイッチの図解である。
【図１４】バネ装填式接触を使用した切替スイッチである。
【図１５】切替スイッチを使用した３セル配列の図解である。
【符号の説明】
１  引き込み線
２  電源変圧器
２０  モーター
５０  電源セル
５１、５２  ダイオード
５３  コンデンサ
５４、５５  コンバーターの出力
５６、５７、５８、５９  トランジスタ
６０、６１、６２  ダイオード
６５  局在コントローラー
６６  光ファイバー制御リンク
６７  マスター変調コントローラー
７０  マスターコントローラー
８１、８２、８３  利得制御
８４、８５、８６、８７、８８、８９  ダイオード
９０、９１、９２  加算器
９４、９５  抵抗
２０１、２０２、２０３  加算機
２０４、２０５、２０６  利得制御
２０７  最大値選択ブロック
２０８  最小値選択ブロック
２０９  加算機
３０１  通常入力
３０２  代替入力
３０３  スイッチアーム
３０５  流体動作ピストン
３０６  絶縁体の管
３０７  電気作動ソレノイドバルブ
３０８  圧縮流体源
３１０  補助の接触装置
３１１  空気式トリップ開放装置
３１２  防壁
３１３  絶縁体トリップレバー
３１４  トリップレバー
３１５  バネ
３１６  通常入力
３１７  代替入力
３１８  スイッチアーム
３１９  開放レバー
３２１、３２２、３２３  切替スイッチ
【図１ａ】
0004553167.tif 000012
【図１ｂ】
0004553167.tif 000013
【図１ｃ】
0004553167.tif 000014
【図１ｄ】
0004553167.tif 000015
【図２】
0004553167.tif 000016
【図３】
0004553167.tif 000017
【図４】
0004553167.tif 000018
【図５ａ】
0004553167.tif 000019
【図５ｂ】
0004553167.tif 000020
【図５ｃ】
0004553167.tif 000021
【図６】
0004553167.tif 000022
【図７】
0004553167.tif 000023
【図８】
0004553167.tif 000024
【図９】
0004553167.tif 000025
【図１０】
0004553167.tif 000026
【図１１】
0004553167.tif 000027
【図１２】
0004553167.tif 000028
【図１３】
0004553167.tif 000029
【図１４】
0004553167.tif 000030
【図１５】
0004553167.tif 000031